(57)【特許請求の範囲】
【請求項１】
同期検出窓回路（２４）から出力される水平同期信号を比較信号と比較して位相差に対応した信号を出力する位相比較器（１２）と、位相比較器（１２）の出力信号に基づいて生成するクロック信号の周波数を制御する電圧制御発振器（１６）と、電圧制御発振器（１６）で生成したクロック信号の周波数を分周比Ｎ（Ｎは２以上の整数を表す。）で分周し比較信号として位相比較器（１２）へ出力する分周器（３２）とを具備したＰＬＬ回路（２２）と、
分周器（３２）から出力する比較信号に基づいて位相比較器（１２）の位相比較期間ＴＤを規制するための同期検出窓信号を、比較信号,分周比Ｎ及び窓幅設定値Ｗに基づいて生成する前記同期検出窓回路（２４）と、入力した水平同期信号と前記分周器（３２）から出力した比較信号の位相差を検出し、この検出値に基づいて窓幅設定値Ｗを出力する同期検出用の窓幅設定回路（２６）とを具備し、前記同期検出窓信号の位相比較期間ＴＤは、前記比較信号の比較パルスＰcの立ち上がり時より前のタイミングで開始し、比較パルスＰcの立ち上がり時より後のタイミングで終了することを特徴とする映像信号処理用クロック生成回路。
【請求項２】
同期検出窓回路（２４）は、位相比較期間ＴＤが２Ｗ・Ｔｃｋ（Ｔｃｋはクロック信号の周期を表す。）の同期検出窓信号を生成し、この同期検出窓信号の位相比較期間ＴＤは、比較パルスＰcの立ち上がり時より期間Ｗ・Ｔｃｋだけ前のタイミングで開始し、比較パルスＰcの立ち上がり時より期間Ｗ・Ｔｃｋだけ後のタイミングで終了してなる請求項１記載の映像信号処理用クロック生成回路。
【請求項３】
同期検出用の窓幅設定回路（２６）は、水平同期信号と比較信号の位相差を検出する位相差検出回路（３４）と、位相差検出回路（３４）の検出値から一定値以下の検出値を取り出す位相差上限リミッタ（３６）と、位相差上限リミッタ（３６）で取り出した検出値について各フレーム毎に最大値を検索して出力するフレーム内最大値検索回路（３８）と、フレーム内最大値検索回路（３８）から出力した最大値についてフィルタリングして窓幅設定値Ｗを出力するフィルタ（４０）とを具備してなる請求項１又は２記載の映像信号処理用クロック生成回路。
【請求項４】
フィルタ（４０）は、入力が出力の１／２以下のときに出力が時間とともに除々に減少し、入力が出力の１／２を越えたときに出力が速やかに増加する非対称型の積分型フィルタとしてなる請求項３記載の映像信号処理用クロック生成回路。
【請求項５】
入力した水平同期信号と同期検出窓回路（２４）で生成した同期検出窓信号とに基づいて、位相比較期間ＴＤ外に現れる水平同期パルスＰｈを検出し、この検出した水平同期パルスＰｈのＮ・Ｔｃｋ後を中心とした設定期間をスキュー検出窓期間ＴＳとするスキュー検出窓信号を生成し、水平同期信号、同期検出窓信号及びスキュー検出窓信号に基づいてスキューを検出し、このスキュー検出信号をリセット信号として分周器（３２）へ出力するスキュー検出窓回路（２８）を設けてなる請求項１，２，３又は４記載の映像信号処理用クロック生成回路。
【請求項６】
スキュー検出窓回路（２８）は、水平同期信号、同期検出窓信号、分周比Ｎ及び窓幅設定値Ｕ（ＵはＮ／２以下の整数を表す。）に基づいて、スキュー検出窓期間ＴＳが２Ｕ・Ｔｃｋであって位相比較期間外に現れた水平同期パルスＰｈの立ち上がり時よりＮ・Ｔｃｋ−Ｕ・Ｔｃｋ後のタイミングで開始し、前記水平同期パルスＰｈの立ち上がり時よりＮ・Ｔｃｋ＋Ｕ・Ｔｃｋ後のタイミングで終了するスキュー検出窓信号を生成し、同期検出窓信号の位相比較期間ＴＤ内に水平同期パルスＰｈがなく、スキュー検出窓信号のスキュー検出窓期間ＴＳ内に水平同期パルスＰｈが現れたときにリセット信号を出力してなる請求項５記載の映像信号処理用クロック生成回路。
【請求項７】
入力した水平同期信号と分周器（３２）から出力した比較信号とに基づいて水平同期信号と比較信号の位相差を検出し、この検出値に基づいて窓幅設定値Ｕを出力するスキュー検出用の窓幅設定回路（２６）を設けてなる請求項５記載の映像信号処理用クロック生成回路。
【請求項８】
スキュー検出用の窓幅設定回路（２６）は，水平同期信号と比較信号の位相差を検出する位相差検出回路（３４）と、位相差検出回路（３４）の検出値から一定値以下の検出値を取り出す位相差上限リミッタ（３６）と、位相差上限リミッタ（３６）で取り出した検出値について各フレーム毎に最大値を検索して出力するフレーム内最大値検索回路（３８）と、フレーム内最大値検索回路（３８）から出力した最大値についてフィルタリングして窓幅設定値Ｕを出力するフィルタ（４０）とを具備してなる請求項７記載の映像信号処理用クロック生成回路。
【請求項９】
フィルタ（４０）は、入力が出力の１／２以下のときに出力が時間とともに除々に減少し、入力が出力の１／２を越えたときに出力が速やかに増加する非対称型の積分型フィルタとしてなる請求項８記載の映像信号処理用クロック生成回路。
【請求項１０】
スキュー検出用の窓幅設定回路（２６）を同期検出用の窓幅設定回路（２６）で兼用し、窓幅設定値Ｕを窓幅設定値Ｗと等しくしてなる請求項７，８又は９記載の映像信号処理用クロック生成回路。
【請求項１１】
分周器（３２）から出力した比較信号とスキュー検出窓回路（２８）から出力したリセット信号とに基づいて、分周器（３２）の分周比を切り換えて  比較信号の位相を水平同期信号に同期させる方向に制御する分周比切換回路（３０）を設けてなる請求項５，６，７，８、９又は１０記載の映像信号処理用クロック生成回路。
【請求項１２】
分周比切換回路（３０）は、比較信号、リセット信号、分周比Ｎ及び補正値ｎ（ｎはＮより小さい正の整数を 表す。）に基づいて、リセット信号の立ち上がりから２つ目の水平同期パルスＰｈが現れるまでの間、分周比をＮ―ｎに  切り換えてなる請求項１１記載の映像信号処理用クロック生成回路。
【発明の詳細な説明】
【０００１】
【発明の属する技術分野】
本発明は、ＰＤＰ（プラズマディスプレイ）やＬＣＤ(液晶ディスプレイ)パネルを用いた表示装置などにおいて、入力したアナログの映像信号をディジタルの映像信号に変換したり、変換後の信号をディジタル処理するためなどに利用するクロック信号（例えばシステムクロック信号）を生成する映像信号処理用クロック生成回路に関するものである。
【０００２】
【従来の技術】
従来、この種の映像信号処理用クロック生成回路は、図９に示すよう、位相比較器１２、ＬＰＦ（ローパスフィルタ）１４、ＶＣＯ（電圧制御発振器）１６及び分周器１８からなるＰＬＬ（位相同期ループ）回路で構成され、入力した水平同期信号から映像信号処理用のクロック信号を生成し出力していた。２０は、入力した複合映像信号に基づいて、水平同期信号、比較禁止信号及びリセット信号を生成して出力する信号処理回路である。
【０００３】
位相比較器１２は、水平同期信号を比較信号と比較して位相差に対応した信号を出力し、この出力信号をＬＰＦ１４で積分して位相差に対応した電圧を生成し、この電圧でＶＣＯ１６を制御して水平同期信号に同期したクロック信号を生成する。分周器１８は、クロック信号を予め設定された分周比Ｎ（Ｎは２以上の整数値を表す。）で分周して周波数が１／Ｎの比較信号を生成し位相比較器１２にフィードバックする。このフィードバックループにより分周器１８から出力する比較信号の周波数と位相が水平同期信号の周波数と位相に収束していき、所定時間経過すると水平同期信号に同期した、安定した周波数のクロック信号がＶＣＯ１６で生成され、出力する。
【０００４】
ＰＬＬ回路１０で安定したクロック信号を生成するためには、基礎となる水平同期信号の周期が一定である必要がある。しかし、映像信号源によっては、水平同期信号の垂直同期期間に、水平同期信号の水平同期パルスの１／２の周期を持つ等価パルスが重畳されていたり、水平同期信号の位相が変化したり、水平同期信号の欠落が存在したりすると、クロック信号の周波数が変動する。このようなクロック信号の周波数変動を防止するため、従来は信号処理回路２０で生成した比較禁止信号を位相比較器１２に入力することによって、水平同期周期の乱れの大きい垂直同期期間又はその前後を含めた期間における位相比較を禁止していた。
【０００５】
【発明が解決しようとする課題】
しかしながら、図９に示した従来例では、水平同期信号の垂直同期期間（又はその前後を含む期間）における位相比較を禁止していただけなので、水平同期信号へのノイズ混入、水平同期信号中の水平同期パルスＰｈの欠落、水平同期信号の位相変化等に対して、クロック信号の周波数変動や位相変動を十分に抑制することができないという問題点があった。
【０００６】
例えばテレビ放送を受信する場合、受信電波が弱い（弱電界）ときに、図１０（ｂ）に示すように水平同期信号にノイズが混入したり、同図（ｃ）に示すように水平同期信号中の水平同期パルスＰｈが欠落したりして水平同期周期が乱れることがあるが、このような水平同期周期の乱れは垂直同期期間以外にも発生するので、垂直同期期間の位相比較を禁止するだけでは不十分であるという問題点があった。
また、ＶＴＲ（ビデオテープレコーダ）を映像信号源とした場合、機構上、図１０（ｄ）に示すように、水平同期信号の垂直同期期間の数ライン手前で水平同期信号の位相が変化する現象が現れる（すなわちスキューが発生する。）。このスキューの発生によって、図１０（ｄ）に示すように、水平同期周期が正常なＮ・Ｔｃｋ（Ｔｃｋはクロック信号の周期を表す。）から異常なＴ１（図ではＴ１?Ｎ・Ｔｃｋ）に変化する。このようなスキュー発生に対しては、比較禁止信号で垂直同期期間の位相比較を禁止するだけでは不十分であるという問題点がった。
【０００７】
一方、水平同期信号の周期変動の度合いや、スキューの発生位置は映像信号源よって異なっているために、正常な水平同期信号とノイズやスキューのある水平同期信号との切り分けが困難で、適切な処理ができない場合がある。
また同一回路でＮＴＳＣ方式やＨＤＴＶ方式のＴＶ放送やパソコンのような複数の映像信号源に対応するためには、すなわち多様な信号フォーマットに対応するためには、ＰＬＬ回路のロックレンジ（同期保持範囲）を広くする必要があるが、ロックレンジを広くすると水平同期信号の乱れの影響を受け易くなり、更なるクロック周波数や位相の安定化処理が必要となる。
【０００８】
本発明は、上述の問題点に鑑みなされたもので、水平同期信号にノイズが混入したり、水平同期パルスＰｈの欠落が生じたり、スキュー発生等よって水平同期信号に位相変化が生じたりした場合でも、水平同期信号に基づいて生成するクロック信号の周波数変動や位相変動を小さく抑制することのできる映像信号処理用クロック生成回路を提供することを目的とするものである。
【０００９】
【課題を解決するための手段】
請求項１の発明は、同期検出窓回路（２４）から出力される水平同期信号を比較信号と比較して位相差に対応した信号を出力する位相比較器（１２）と、位相比較器（１２）の出力信号に基づいて生成するクロック信号の周波数を制御する電圧制御発振器（１６）と、電圧制御発振器（１６）で生成したクロック信号の周波数を分周比Ｎ（Ｎは２以上の整数を表す。）で分周し比較信号として位相比較器（１２）へ出力する分周器（３２）とを具備したＰＬＬ回路（２２）と、分周器（３２）から出力する比較信号に基づいて位相比較器（１２）の位相比較期間ＴＤを規制するための同期検出窓信号を、比較信号，分周比Ｎ及び窓幅設定値Ｗに基づいて生成する前記同期検出窓回路（２４）と、入力した水平同期信号と前記分周器（３２）から出力した比較信号の位相差を検出し、この検出値に基づいて窓幅設定値Ｗを出力する同期検出用の窓幅設定回路（２６）とを具備し、前記同期検出窓信号の位相比較期間ＴＤは、前記比較信号の比較パルスＰcの立ち上がり時より前のタイミングで開始し、比較パルスＰcの立ち上がり時より後のタイミングで終了することを特徴とするものである。
【００１０】
このような構成において、位相比較器（１２）の位相比較期間ＴＤは同期検出窓回路（２４）で生成した同期検出窓信号によって規制されるので、位相比較器（１２）は、比較信号の比較パルスＰcを含む位相比較設定期間ＴＤだけ水平同期信号を比較信号と比較して位相差に対応した信号を出力し、位相比較期間ＴＤ以外の期間では位相比較を禁止することができる。このため原信号の水平同期信号の垂直同期期間以外にノイズが混入したり、水平同期信号の欠落が生じた場合でもクロック信号の周波数変動や位相変動を小さく抑制することができる。
また、入力した水平同期信号と分周器（３２）から出力した比較信号とに基づいて水平同期信号と比較信号の位相差を検出し、この検出値に基づいて窓幅設定値Ｗを出力する同期検出用の窓幅設定回路（２６）を設けることにより、窓幅設定値Ｗを自動的に算出して処理の感度を最適化することができる。
【００１１】
請求項２に記載の発明は、請求項１に記載の発明において、位相比較期間ＴＤが２Ｗ・Ｔｃｋ（Ｔｃｋはクロック信号の周期を表す。）の同期検出窓信号を生成し、この同期検出窓信号の位相比較期間ＴＤが、比較パルスＰcの立ち上がり時より期間Ｗ・Ｔｃｋだけ前のタイミングで開始し、比較パルスＰcの立ち上がり時より期間Ｗ・Ｔｃｋだけ後のタイミングで終了する構成とする。
【００１２】
請求項３に記載の発明は、請求項１又は２に記載の発明において、水平同期信号と比較信号の位相差の誤検出を防止するとともに、より適切な窓幅設定値Ｗを得るために、同期検出用の窓幅設定回路（２６）を、水平同期信号と比較信号の位相差を検出する位相差検出回路（３４）と，位相差検出回路（３４）の検出値から一定値以下の検出値を取り出す位相差上限リミッタ（３６）と、位相差上限リミッタ（３６）で取り出した検出値について各フレーム毎に最大値を検索して出力するフレーム内最大値検索回路（３８）と、フレーム内最大値検索回路（３８）から出力した最大値についてフィルタリングして窓幅設定値Ｗを出力するフィルタ（４０）とで構成する。
【００１３】
請求項４に記載の発明は、請求項３に記載の発明において、水平同期信号と比較信号の位相差が大きくなる方向に変化したときには、窓幅設定値Ｗが速やかに大きな値となり、水平同期信号と比較信号の位相差が小さくなる方向に変化したときは、窓幅設定値Ｗが除々に減少して所定値に収束するようにするために、フィルタ（４０）を、入力が出力の１／２以下のときに出力が時間とともに除々に減少し、入力が出力の１／２を越えたときに出力が速やかに増加する非対称型の積分型フィルタで構成する。
【００１４】
請求項５に記載の発明は、請求項１，２，３又は４に記載の発明において、スキュー発生時のクロック信号の周波数変動や位相変動を抑制するために、入力した水平同期信号と同期検出窓回路（２４）で生成した同期検出窓信号とに基づいて、位相比較期間ＴＤ外に現れる水平同期パルスＰｈを検出し、この検出した水平同期パルスＰｈのＮ・Ｔｃｋ後を中心とした設定期間をスキュー検出窓期間ＴＳとするスキュー検出窓信号を生成し、水平同期信号、同期検出窓信号及びスキュー検出窓信号に基づいてスキューを検出し、このスキュー検出信号をリセット信号として分周器（３２）へ出力するスキュー検出窓回路（２８）を設ける。
【００１５】
請求項６に記載の発明は、請求項５に記載の発明において、スキュー検出窓回路（２８）の構成を簡単にするために、スキュー検出窓回路（２８）が水平同期信号、同期検出窓信号、分周比Ｎ及び窓幅設定値Ｕ（ＵはＮ／２以下の整数を表す。）に基づいて、スキュー検出窓期間ＴＳが２Ｕ・Ｔｃｋであって位相比較期間外に現れた水平同期パルスＰｈの立ち上がり時よりＮ・Ｔｃｋ−Ｕ・Ｔｃｋ後のタイミングで開始し、前記水平同期パルスＰｈの立ち上がり時よりＮ・Ｔｃｋ＋Ｕ・Ｔｃｋ後のタイミングで終了するスキュー検出窓信号を生成し、同期検出窓信号の位相比較期間ＴＤ内に水平同期パルスＰｈがなく、スキュー検出窓信号のスキュー検出窓期間ＴＳ内に水平同期パルスＰｈが現れたときにリセット信号を出力する構成とする。
【００１６】
請求項７に記載の発明は、請求項６に記載の発明において、窓幅設定値Ｕを自動的に算出して処理の感度を最適化するために、入力した水平同期信号と分周器（３２）から出力した比較信号とに基づいて水平同期信号と比較信号の位相差を検出し、この検出値に基づいて窓幅設定値Ｕを出力するスキュー検出用の窓幅設定回路（２６）を設ける。
【００１７】
請求項８に記載の発明は、請求項７に記載の発明において、水平同期信号と比較信号の位相差の誤検出を防止するとともに、より適切な窓幅設定値Ｕを得るために、スキュー検出用の窓幅設定回路（２６）を水平同期信号と比較信号の位相差を検出する位相差検出回路（３４）と、位相差検出回路（３４）の検出値から一定値以下の検出値を取り出す位相差上限リミッタ（３６）と、位相差上限リミッタ（３６）で取り出した検出値について各フレーム毎に最大値を検索して出力するフレーム内最大値検索回路（３８）と、フレーム内最大値検索回路（３８）から出力した最大値についてフィルタリングして窓幅設定値Ｕを出力するフィルタ（４０）とで構成される。
【００１８】
請求項９に記載の発明は、請求項８に記載の発明において、水平同期信号と比較信号の位相差が大きくなる方向に変化したときには、窓幅設定値Ｕが速やかに大きな値となり、水平同期信号と比較信号の位相差が小さくなる方向に変化したときには、窓幅設定値Ｕが除々に減少して所定値に収束するようにするために、フィルタ（４０）を、入力が出力の１／２以下のときに出力が時間とともに除々に減少し、入力が出力の１／２を越えたときに出力が速やかに増加する非対称型の積分型フィルタで構成する。
【００１９】
請求項１０に記載の発明は、請求項７，８又は９に記載の発明において、回路構成の簡略化を図るために、スキュー検出用の窓幅設定回路（２６）を同期検出用の窓幅設定回路（２６）で兼用し、窓幅設定値Ｕを窓幅設定値Ｗと等しくする。
【００２０】
請求項１１に記載の発明は、請求項５，６，７，８、９又は１０に記載の発明において、スキュー発生時のクロック信号の周波数変動を抑制するために、分周器（３２）から出力した比較信号とスキュー検出窓回路（２８）から出力したリセット信号とに基づいて、分周器（３２）の分周比を切り換えて  比較信号の位相を水平同期信号に同期させる方向に制御する分周比切換回路（３０）を設ける。
【００２１】
請求項１２に記載の発明は、請求項１１に記載の発明において、スキュー発生時のクロック信号の周波数変動を更に抑制するために、分周比切換回路（３０）が、比較信号、リセット信号、分周比Ｎ及び補正値ｎ（ｎはＮより小さい正の整数を表す。）に基づいて、リセット信号の立ち上がりから２つ目の水平同期パルスＰｈが現れるまでの間、分周比をＮ−ｎに切り換える構成とする。
【００２２】
【発明の実施の形態】
以下，本発明による映像信号処理用クロック生成回路の一実施形態例について図１〜図３を用いて説明する。
図１において、２２はＰＬＬ回路、２４は同期検出窓回路、２６は窓幅設定回路、２８はスキュー検出回路、３０は分周比切換回路である。
【００２３】
ＰＬＬ回路２２は、位相比較器１２、ＬＰＦ１４、ＶＣＯ１６及び分周器３２で構成され、分周器３２が分周比切換可能に形成されている点を除いて、図９のＰＬＬ回路１０と同様に構成されている。
位相比較器１２が、入力した水平同期信号[1]を比較信号と比較して位相差に対応した信号を出力し、ＬＰＦ１４が位相比較器１２の出力信号を積分して位相差に対応した電圧を出力し、ＶＣＯ１６がＬＰＦ１４の出力電圧で生成するクロック信号の周波数を制御し、分周器３２がクロック信号を分周比Ｎで分周して周波数が１／Ｎの比較信号を生成し、位相比較器１２にフィードバックすることによって水平同期信号[1]に同期したクロック信号を生成する。
【００２４】
同期検出窓回路２４は、分周器３２から出力する比較信号と、外部から設定された分周比Ｎと、窓幅設定回路２６で設定された同期検出用の窓幅設定値Ｗとに基づいて、位相比較期間（同期検出窓期間）ＴＤが２Ｗ・Ｔｃｋの同期検出窓信号を生成する。同期検出窓信号の位相比較期間ＴＤは、図４（ｃ）に示すように、比較パルスＰcの立ち上がり時より期間Ｗ・Ｔｃｋだけ前のタイミングで開始し（立ち上がり）、比較パルスＰcの立ち上がり時より後のタイミングで終了する（立ち下がる）。
【００２５】
同期検出窓回路２４は、更に、生成した同期検出窓信号と、入力した水平同期信号とに基づいて窓期間Ｔ２の可変同期検出窓信号を生成し、この可変同期検出窓信号と水平同期信号とに基づいて、図４（ｅ）に示すような水平同期信号[1]を出力する。
可変同期検出窓信号の窓期間Ｔ２は、図４（ｄ）に示すように、同期検出窓信号の立ち上がり時に開始し（立ち上がり）、水平同期信号の立ち上がり時より設定期間Ｔ３経過後に終了する（立ち下がる）。
水平同期信号[1]の水平同期パルスは、水平同期信号と可変同期検出窓信号の論理積出力となる。
このため、設定期間Ｔ３を適宜に設定することによって、窓期間Ｔ２で検出される水平同期パルスを１つのみに制限して、水平同期パルスＰｈに切り込まれたノイズによる誤作動を防止できる。
【００２６】
窓幅設定回路２６は、同期検出用の窓幅設定回路とスキュー検出用の窓幅設定回路を兼用する窓幅設定回路で、入力した水平同期信号と分周器３２から出力した比較信号とに基づいて水平同期信号と比較信号の位相差を検出し、この検出値に基づいて同期検出用の窓幅設定値Ｗとスキュー検出用の窓幅設定値Ｕを兼ねる窓幅設定値Ｗを出力する。
【００２７】
窓幅設定回路２６は、図２に示すように、位相差検出回路３４、位相差上限リミッタ３６、フレーム内最大値検索回路３８及びフィルタ４０で構成されている。
位相差検出回路３４は水平同期信号と比較信号の位相差を検出し（計測し）、位相差上限リミッタ３６は位相差検出回路３４の検出値から一定値以下の検出値を取り出し、フレーム内最大値検索回路３８は位相差上限リミッタ３６で取り出した検出値について各フレーム毎にフレーム内での最大値を検索して出力し、フィルタ４０はフレーム内最大値検索回路３８の出力についてフィルタリングして窓幅設定値Ｗを出力する。
【００２８】
フィルタ４０は、図３に示すように、乗算器４１、コンパレータ４２、セレクタ４４、遅延器４６、乗算器５０、加算器５２、５４及び乗算器５６で構成され、出力の上昇が早く減少が遅い非対称型の積分型フィルタで構成されている。
【００２９】
乗算器４１は入力を２倍した信号をコンパレータ４２へ出力する。
コンパレータ４２は、乗算器４１で２倍された入力を出力と比較して、入力が出力の１／２以下のときにＨレベル、入力が出力の１／２を越えたときにＬレベルの信号を出力する。
セレクタ４４は、コンパレータ４２からのＬレベル信号でＡ側入力を、Ｈレベル信号でＢ側入力を選択して出力する。
遅延器４６はセレクタ４４の出力を一定時間遅延して出力する。
乗算器４８は、遅延器４６の出力に２／ｍを乗算して出力する。このｍは４，８，・・・などの数値のうちから選択され（例えば４が選択され）、大きい程安定度が増す。
乗算器５０は乗算器４８の出力に（−１／２）を乗算して出力する。
加算器５２は遅延器４６の出力に乗算器５０の出力を加算して出力する。
加算器５４は、入力に加算器５２の出力を加算し、加算値をセレクタ４４のＢ入力側へ出力する。
乗算器５６は、加算器５４の加算値に２を乗算し、乗算値をセレクタ４４のＡ入力側へ出力する。
【００３０】
スキュー検出窓回路２８は、入力した水平同期信号と、同期検出窓回路２４で生成した同期検出窓信号と、分周比Ｎと、窓幅設定回路２６で設定されたスキュー検出用の窓幅設定値Ｗとに基づいて、スキュー検出窓期間ＴＳが２Ｗ・Ｔｃｋのスキュー検出窓信号を生成し、位相比較期間ＴＤ内に水平同期パルスＰｈがなく、スキュー検出窓期間ＴＳ内に水平同期パルスＰｈが現れたときに、リセット信号を出力する。
同期検出窓信号のスキュー検出期間ＴＳは、図５（ｄ）のｔ４時からｔ９時までに示すように、位相比較禁止期間ＴＫ（すなわち位相比較期間ＴＤ外の期間）にスキューによる水平同期パルスＰｈが現れたときに、その水平同期パルスＰｈの立ち上がり時よりＮ・Ｔｃｋ−Ｗ・Ｔｃｋ後のタイミングで開始し（立ち上がり）、前記水平同期パルスＰｈの立ち上がり時よりＮ・Ｔｃｋ＋Ｗ・Ｔｃｋ後のタイミングで終了する（立ち下がる）。
また、リセット信号は、図５（ｆ）に示すように、スキュー検出窓期間ＴＳ内に水平同期パルスＰｈが現れたｔ８時から遅延時間Ｔ５経過したｔ９時に現れる（図ではＨレベルからＬレベルに変化する）。この遅延時間Ｔ５は、スキュー検出窓回路２８に固有の遅延時間を表す。
【００３１】
分周比切換回路３０は、分周器３２から出力した比較信号と、スキュー検出窓回路２８から出力したリセット信号と、分周比Ｎと、分周の補正値ｎとに基づいて、リセット信号の立ち上がりから２つ目の水平同期パルスＰｈが現れたるまでの間、分周比をＮ―ｎに切り換えて、比較信号の位相を水平同期信号に同期させる方向に制御する。補正値ｎは、ｎ・Ｔｃｋが遅延時間Ｔ５とほぼ等しくなるように設定された正の整数である。
【００３２】
つぎに、前記実施形態例の作用を、図４〜図８を併用して説明する。
図１のＰＬＬ回路２２は、位相比較器１２、ＬＰＦ１４，ＶＣお１６及び分周器３２によって、水平同期信号[1]に同期したクロック信号を生成し、映像信号処理回路（例えばＡ／Ｄ）へ出力する。
以下、本発明に特有の作用を、便宜上、Ａ：ノイズ混入や欠落が生じた場合の作用、Ｂ：スキュー発生等によって位相変化が生じた場合の作用、Ｃ：窓幅自動設定作用に分けて説明する。
【００３３】
Ａ：ノイズ混入や欠落が生じた場合の作用
説明の便宜上、図４（ａ）に示すように、入力した水平同期信号にノイズが混入したり、水平同期パルスＰｈの一部に欠落が生じ、分周器３２から同図（ｂ）に示すような比較信号が出力しているものとする。
【００３４】
（１）同期検出窓回路２４は、比較信号、分周比Ｎ及び同期検出用の窓幅設定値Ｗに基づいて、図４（ｃ）に示すような、位相比較期間ＴＤ（＝２Ｗ・Ｔｃｋ）、位相禁止期間ＴＫ（＝Ｎ・Ｔｃｋ−ＴＤ）の同期検出窓信号を生成し、この同期検出窓信号がＰＬＬ回路２２の位相比較器１２に入力する。このため、図４（ａ）のｔ３時に示すように、位相禁止期間ＴＫ内にノイズが混入しても位相比較器１２の位相比較が禁止され、ＶＣＯ１６から出力するクロック信号に周波数変動や位相変動が生じない。
【００３５】
（２）同期検出窓回路２４は、内部で生成した同期検出窓信号と入力した水平同期信号とに基づいて、図４（ｄ）に示すような窓期間Ｔ２の可変検出窓信号を生成し、この可変検出窓信号と水平同期信号との論理積に基づいて同図（ｅ）に示すような水平同期信号[1]を生成し、この水平同期信号[1]が位相比較器１２に入力する。このため、図４（ａ）のｔ４時に示すように、設定期間Ｔ３以降に水平同期信号の水平同期パルスＰｈに切り込んだノイズが混入しても、可変同期検出窓信号の窓期間Ｔ２のパルスが入力された水平同期信号の立ち上がりから設定期間Ｔ３の経過後に終了するので、それ以降の水平同期信号のパルスは検出されず、窓期間Ｔ２で検出される水平同期パルスを１つに制限する。
設定期間Ｔ３の期間中に水平同期信号の水平同期パルスＰｈに切り込んだノイズが混入した場合には、そのノイズを排除することはできないが、設定期間Ｔ３の幅を狭くすることで、ノイズを排除できる可能性を高くすることができ、窓期間Ｔ２全体としてはノイズによる誤作動を低減することができる。
【００３６】
（３）図４（ａ）のｔ５時に示すように、水平同期信号の水平同期パルスＰｈに欠落が生じると、同図（ｅ）に示すように位相比較器１２に入力する水平同期信号[1]の水平同期パルスが欠落する。すると、位相比較器１２の出力信号が増加し、ＰＬＬ回路２２から出力するクロック信号の周波数が図４（ｆ）に示すように低下するが、ｔ５時から期間Ｗ・Ｔｃｋ経過したｔ６時に、同期検出窓信号が同図（ｃ）に示すようにＨレベルからＬレベルに変化し位相比較禁止期間ＴＫに入る。
このため、ｔ６時にクロック信号の周波数低下が停止し、図４（ｆ）に２点鎖線矢印で示す従来例のような周波数低下を防止し、クロック信号の周波数変動を軽減できる。
【００３７】
Ｂ：スキュー発生等によって位相変動が生じた場合の作用
説明の便宜上、図５（ａ）に示すようにスキュー発生によって水平同期信号に位相変動が生じ、ｔ５時にスキューによる水平同期パルスＰｈが生じているものとする。
【００３８】
（１）スキュー検出窓回路２８は、水平同期信号、同期検出窓信号、分周比Ｎ及びスキュー検出用の窓幅設定値Ｗに基づいて、図５（ｄ）示すようなスキュー窓検出期間ＴＳ（＝２Ｗ・Ｔｃｋ）のスキュー検出窓信号を生成し、同図（ｆ）に示すようなリセット信号を出力する。
スキュー検出窓期間ＴＳは、図５（ｄ）のｔ４時からｔ９時までに示すように、位相比較禁止期間ＴＫ内のｔ５時にスキューによる水平同期パルスＰｈが現れたときに、その水平同期パルスＰｈの立ち上がり時のｔ５時よりＮ・Ｔｃｋ−Ｗ・Ｔｃｋ後のタイミングで開始し（立ち上がり）、水平同期パルスＰｈの立ち上がり時より後のタイミング（ｔ５時から期間Ｎ・Ｔｃｋ＋Ｗ・Ｔｃｋ経過したタイミング）で終了する（立ち下がる）。
また、リセット信号は、図５（ｆ）に示すように、ｔ８時から遅延時間Ｔ５経過したｔ９時に現れる。
【００３９】
（２）ｔ５時にスキューによる水平同期パルスＰｈが現れると、その直後のｔ６時を中心とした同期検出窓信号の位相比較期間ＴＤには、図５（ａ）（ｂ）（ｃ）に示すように、水平同期パルスＰｈが現れず比較パルスＰcのみが現れる。すると、位相比較器１２の出力信号が増加し、ＰＬＬ回路２２から出力するクロック信号の周波数が図５（ｅ）に示すように低下するが、ｔ６時から期間Ｗ・Ｔｃｋ経過したｔ７時に、同期検出窓信号が同図（ｃ）に示すようにＨレベルからＬレベルに変化して位相比較禁止期間ＴＫに入る。
このため、ｔ７時にクロック信号の周波数低下が停止し、クロック信号の周波数変動を軽減できる。図５（ｅ）の２点鎖線矢印は従来例のクロック周波数低下状態を示す。
【００４０】
（３）ｔ８時から遅延時間Ｔ５経過したｔ９時にリセット信号が現れ、このリセット信号が分周器３２に入力してリセットすると、図５（ｂ）に示すように、ｔ９時からリセット信号のパルス幅期間経過したｔ１０時に比較信号の比較パルスＰcが現れる。
【００４１】
（４）スキュー検出窓回路２８から出力したリセット信号が分周比切換回路３０に入力すると、分周比切換回路３０は比較信号、分周比Ｎ及び補正値ｎに基づいて分周比切換信号を生成し、この分周比切換信号が分周器３２に入力する。
すると、分周器３２の分周比が、図６（ｄ）に示すように、リセット信号の発生時から２つ目の比較信号Ｐｃが現れるまでの間、Ｎ−ｎに切り換わり、比較信号の位相を水平同期信号に同期させる。
【００４２】
（５）なお、図５（ａ）のｔ３時に示すように、位相禁止期間ＴＫ内で水平同期信号にノイズが混入した場合、スキュー検出窓回路２８では、同図（ｄ）に示すような、スキュー検出窓期間ＴＳの中心がｔ４時のスキュー検出窓信号が生成される可能性があるが、このスキュー検出窓期間ＴＳには同図（ａ）に示すように水平同期パルスＰｈが存在しないので、スキュー検出窓回路２８からリセット信号が出力しない。
また、ノイズの発生したｔ３時が位相比較禁止期間ＴＫ内になるので、ノイズによって水平同期信号[1]と比較信号との間に位相差が生じることもない。
このため、ノイズによってクロック信号の周波数変動や位相変動が生じない。
【００４３】
Ｃ：窓幅自動設定作用
窓幅設定回路２６において、位相差検出回路３４は、図７（ｃ）に示すように水平同期信号と比較信号の位相差を検出し、同図（ｄ）に示すような位相差に対応したカウント値Ｋ１、Ｋ２、Ｋ３、・・・を出力する。位相差上限リミッタ３６は位相差検出回路３４のカウント値Ｋ１、Ｋ２、Ｋ３、・・・から一定値以下のカウント値を取り出してノイズやスキューによる誤検出を防止する。フレーム内最大値検索回路３８は位相差上限リミッタ３６で取り出したカウント値について１フレーム毎にフレーム内での最大値を検出して出力する。
【００４４】
（２）窓幅設定回路２６において、フィルタ４０は、フレーム内最大値検索回路３８の出力についてフィルタリングをして窓幅設定値Ｗを出力する。
つぎに、このフィルタリングを図３，図８を併用して説明する。
説明の便宜上、新たな映像信号源（例えばＮＴＳＣ方式のＴＶ放送）への切換えによってｔ１時にフィルタ４０への入力が出力以下のＷ１に変化し、フィルタリングによって出力が２Ｗ１（Ｗ＝２Ｗ１の場合）に安定し、さらに新たな映像信号源（例えばＨＤＴＶ方式のＴＶ放送）への切換えによってｔ２時にフィルタ４０への入力が出力を越えたＷ２に変化し、フィルタリング出力が２Ｗ２（Ｗ＝２Ｗ２の場合）に安定する場合について説明する。
【００４５】
（２−１）ｔ１時にフィルタ４０への入力が出力の１／２以下のＷ１に変化すると、フィルタ４０が図３に示すような非対称型の積分型フィルタで構成されているので、フィルタ４０の出力は、図８に示すように時間とともに（ｍ−１）／ｍ倍の割合で除々に減少し、入力の２倍の２Ｗ１に収束する。このため、大きな時定数による安定した窓幅設定値Ｗ（＝２Ｗ１）を得ることができる。
【００４６】
（２−２）ｔ２時にフィルタ４０への入力が出力の１／２（＝Ｗ１）を越えたＷ２に変化すると、フィルタ４０の出力は図８に示すように小さな時定数で速やかに２Ｗ２以上の大きな値となり（すなわち窓幅設定値Ｗが大きな値となり）適切な処理ができる。そしてフィルタ４０からの出力が入力の２倍以上になると（すなわち入力が出力の１／２以下になると）、前記（２−１）と同様のフィルタリングによって、フィルタ４０からの出力が図８に示すように時間とともに除々に減少し、入力の２倍の２Ｗ２に収束する。
【００４７】
前記実施形態例では、水平同期信号と比較信号の位相差の誤検出を防止するとともにより適切な窓幅設定値Ｗを得るために、窓幅設定回路２６が位相差検出回路３４、位相差上限リミッタ３６、フレーム内最大値検索回路３８及びフィルタ４０を具備した場合について説明したが、本発明はこれに限るものでなく水平同期信号と比較信号に基づいて窓幅設定値Ｗを自動的に出力するものであればよい。
【００４８】
前記実施形態例では、回路構成を簡略化するために、スキュー検出用の窓幅設定回路２６を同期検出用の窓幅設定回路２６と兼用し、同期検出用の窓幅設定値Ｗとスキュー検出用の窓幅設定値Ｕを等しく（Ｕ＝Ｗ）した場合について説明したが、本発明はこれに限るものでなく、スキュー検出用の窓幅設定回路を同期検出用の窓幅設定回路と別に設けた場合についても利用することができ、また、スキュー検出用の窓幅設定値Ｕを同期検出用の窓幅設定値Ｗと異なる値に設定した場合についても利用することができる。
【００４９】
前記実施形態例では、窓幅設定回路２６を設けて窓幅設定値Ｗ、Ｕを自動的に設定し、処理の感度を最適化できるようにしたが、本発明はこれに限るものでなく窓幅設定回路２６を省略して、窓幅設定値Ｗ、Ｕを手動等で設定するようにした場合についても利用できる。
【００５０】
前記実施形態例では、スキュー発生時のクロック信号の周波数変動や位相変動を抑制するために、スキュー検出窓回路２８や分周比切換回路３０を設けた場合について説明したが、本発明はこれに限るものでなく、分周比切換回路３０を省略した場合や、スキュー検出窓回路２８及び分周比切換回路３０を省略した場合についても利用することができる。
【００５１】
【発明の効果】
請求項１に記載の発明は、位相比較器（１２）、電圧制御発振器（１６）及び分周器（３２）を具備したＰＬＬ回路（２２）を具備し、分周器（３２）から出力する比較信号に基づいて同期検出窓信号を生成する同期検出窓回路（２４）を設け、この同期検出窓信号の位相比較期間ＴＤを比較パルスＰｃを含む設定期間とし、位相比較期間ＴＤ以外の期間ＴＫでの位相比較を禁止し、入力した水平同期信号と前記分周器（３２）から出力した比較信号の位相差を検出し、この検出値に基づいて窓幅設定値Ｗを出力する同期検出用の窓幅設定回路（２６）とを具備し、前記同期検出窓信号の位相比較期間ＴＤは、前記比較信号の比較パルスＰcの立ち上がり時より前のタイミングで開始し、比較パルスＰcの立ち上がり時より後のタイミングで終了する構成としたので、水平同期信号にノイズが混入したり、水平同期信号に欠落が生じた場合でもクロック信号の周波数変動や位相変動を小さく抑制することができる。また、同期検出用の窓幅設定回路（２６）を設けたので、窓幅設定値Ｗを自動的に算出して処理の感度を最適化することができる。
【００５２】
請求項２に記載の発明は、請求項１記載の発明において、同期検出窓回路（２４）によって位相比較期間ＴＤの開始点が比較パルスＰｃの立ち上がり時より期間Ｗ・Ｔｃｋだけ前で、終了点が比較パルスＰcの立ち上がり時より後としたので、同期検出窓回路（２４）の構成を簡単にすることができる。
【００５３】
請求項３に記載の発明は、請求項１又は２の発明において、同期検出用の窓幅設定回路（２６）を位相差検出回路（３４）、位相差上限リミッタ（３６）、フレーム内最大値検索回路（３８）及びフィルタ（４０）で構成したので、水平同期信号と比較信号の位相差の誤検出を防止するとともに、より適切な窓幅設定値Ｗを得ることができる。
【００５４】
請求項４に記載の発明は、請求項３に記載の発明において、フィルタ（４０）を出力の上昇が早く減少が遅い非対称型の積分型フィルタで構成したので、水平同期信号と比較信号位相差が大きくなる方向に変化したときに窓幅設定値Ｗを速やかに大きな値とし、位相差が小さくなる方向に変化したときに窓幅設定値Ｗを除々に減少して所定値に収束することができ、より適切な処理が可能になる。
【００５５】
請求項５に記載の発明は、請求項１，２，３又は４に記載の発明においてスキュー検出窓回路（２８）を設け、位相比較期間ＴＤ外に現れる水平同期パルスＰｈを検出し、検出した水平同期パルスＰｈのＮ・Ｔｃｋ後を中心とした設定期間をスキュー検出窓期間ＴＳとするスキュー検出窓信号を生成し、水平同期信号、同期検出窓信号及びスキュー検出窓信号に基づいてスキュー検出し、このスキュー検出信号をリセット信号として分周器（３２）へ出力するので、スキュー発生時のクロック信号の周波数変動や位相変動を抑制することができる。
【００５６】
請求項６に記載の発明は、請求項５に記載の発明において、スキュー検出窓回路（２８）によってスキュー検出窓期間ＴＳが２Ｕ・Ｔｃｋのスキュー検出窓信号を生成し、このスキュー検出窓期間ＴＳは、その開始点が位相比較期間ＴＤ外に現れた水平同期パルスＰｈの立ち上がり時よりＮ・Ｔｃｋ−Ｕ・Ｔｃｋだけ後で、終了点が水平同期パルスＰｈの立ち上がり時よりＮ・Ｔｃｋ＋Ｕ・Ｔｃｋだけ後としたので、スキュー検出窓回路（２８）の構成を簡単にすることができる。
【００５７】
請求項７に記載の発明は、請求項６に記載の発明において、スキュー検出用の窓幅設定回路（２６）を設けたので、窓幅設定値Ｕを自動的に算出して処理の感度を最適化することができる。
【００５８】
請求項８に記載の発明は、請求項７に記載の発明において、スキュー検出用の窓幅設定回路（２６）を位相差検出回路（３４）、位相差上限リミッタ３６、フレーム内最大値検索回路（３８）及びフィルタ（４０）で構成したので、水平同期信号と比較信号の位相差の誤検出を防止するとともに、より適切な窓幅設定値Ｕを得ることができる。
【００５９】
請求項９に記載の発明は、請求項８に記載の発明において、フィルタ（４０）を出力の上昇が早く減少が遅い非対称型の積分型フィルタで構成したので、水平同期信号と比較信号の位相差が大きくなる方向に変化したときに窓幅設定値Ｕを速やかに大きな値とし、位相差が小さくなる方向に変化したときに窓幅設定値Ｕを除々に減少して所定値に収束することができ、より適切な処理が可能になる。
【００６０】
請求項１０に記載の発明は、請求項７，８又は９に記載の発明においてスキュー検出用の窓幅設定回路（２６）を同期検出用の窓幅設定回路（２６）で兼用し、窓幅設定値Ｕを窓幅設定値Ｗと等しくしたので、回路構成の簡略化を図ることができる。
【００６１】
請求項１１に記載の発明は、請求項５，６，７，８、９又は１０に記載の発明において、比較信号とリセット信号に基づいて分周器（３２）の分周比を切り換えて比較信号の位相を水平同期信号に同期させる方向に制御する分周比切換回路（３０）設けたので、スキュー発生時のクロック信号の周波数変動を抑制することができる。
【００６２】
請求項１２に記載の発明は、請求項１１に記載の発明において、分周比切換回路（３０）が比較信号、リセット信号、分周比Ｎ及び補正値ｎに基づいて、リセット信号の立ち上がりから２つ目の比較信号が現れるまでの間、分周比をＮ−ｎに切り換える構成としたので、スキュー発生時のクロック信号の周波数変動を抑制することができる。
【図面の簡単な説明】
【図１】  本発明による映像信号処理用クロック生成回路の一実施形態例を示すブロック図である。
【図２】  図１中の窓幅設定回路２６を示すブロック図である。
【図３】  図２中のフィルタ４０を示すブロック図である。
【図４】  ノイズ混入時や水平同期パルスＰｈ欠落時の作用を説明するタイミングチャートである。
【図５】  スキュー発生時の作用を説明するタイミングチャートである。
【図６】  図１中の分周器３２の分周比切換作用を説明するタイミングチャートである。
【図７】  図２中の位相差検出回路３４の作用を説明するタイミングチャートである。
【図８】  図３中のフィルタ４０のフィルタリング作用を説明する特性図である。
【図９】  従来例を示すブロック図である。
【図１０】  正規の水平同期信号と、この水平同期信号にノイズが混入したり、水平同期信号中の水平同期パルスＰｈが欠落したり、スキューが発生した場合の水平同期信号を示す図である。
【符号の説明】
１２…位相比較器、  １４…ＬＰＦ（ローパスフィルタ）、  １６…ＶＣＯ（電圧制御発振器）、  ２２…ＰＬＬ（位相同期ループ）回路、  ２４…同期検出窓回路、  ２６…窓幅設定回路、  ２８…スキュー検出窓回路、  ３０…分周比切換回路、  ３２…分周器、  ３４…位相差検出回路、３６…位相差上限リミッタ、３８…フレーム内最大値検索回路、  ４０…フィルタ、  ４２…コンパレータ、  ４４…セレクタ、  ４６…遅延器、  ４１、４８、５０、５６…乗算器、  ５２、５４…加算器、  Ｎ…分周比、  ｎ…補正値、  Ｐｃ…比較パルス、  Ｐｈ…水平同期パルス、  ＴＤ…位相比較期間（同期検出窓期間）、  ＴＫ…位相比較禁止期間、  ＴＳ…スキュー検出窓期間、  Ｔｃｋ…クロック信号の周期、  Ｕ、Ｗ…窓幅設定値。
【図１】
0004055428.tif 000002
【図２】
0004055428.tif 000003
【図３】
0004055428.tif 000004
【図４】
0004055428.tif 000005
【図５】
0004055428.tif 000006
【図６】
0004055428.tif 000007
【図７】
0004055428.tif 000008
【図８】
0004055428.tif 000009
【図９】
0004055428.tif 000010
【図１０】
0004055428.tif 000011